(57)【特許請求の範囲】
【請求項１】
油圧式無段変速装置（２５）よりなる主変速装置と、有段の副変速装置（５０）とを備えた走行車両の変速装置において、該副変速装置（５０）を同期噛合式とするとともに、油圧式無段変速装置の油圧モータ（２８）から副変速装置（５０）に動力を伝達し、該油圧モータ（２８）の出力と副変速装置（５０）の入力の間にクラッチ（３９）を設け、前記副変速装置（５０）を操作する副変速レバー（１５）を設け、該副変速レバー（１５）のグリップに、前記クラッチ（３９）を断接する操作部材としてのクラッチスイッチボタン（７４）を設け、該クラッチスイッチボタン（７４）を、該副変速レバー（１５）基部に設けたデテント第一規制ピン（９１）と連動連結し、該第一規制ピン（９１）により変速位置を維持し、前記副変速レバー（１５）はパイプ状のシャフト（１５ａ）の上部にグリップ（１５ｂ）を配置し、該シャフト（１５ａ）内に摺動可能に摺動杆（１５ｃ）を挿入し、前記グリップ（１５ｂ）には側面に、前記クラッチ（３９）を断接するクラッチスイッチボタン（７４）を突設し、該クラッチスイッチボタン（７４）の他端は斜面に構成してグリップ（１５ｂ）内に挿入し、前記摺動杆（１５ｃ）の上端に形成した斜面に当接し、前記シャフト（１５ａ）の下部に、第一規制ピン（９１）を、シャフト１５ａに対して直角方向に突出し、該第一規制ピン（９１）は前記摺動杆（１５ｃ）の下端に固設し、シャフト（１５ａ）下部に開口した上下方向の長孔（１５ｄ）より側方に突出され、前記副変速レバー（１５）の回動基部を構成するガイド板（９３）に形成したガイド溝（９４）に挿入し、該第一規制ピン（９１）は、副変速レバー（１５）を変速位置に維持するデテント装置とし、前記シャフト（１５ａ）下部より、該第一規制ピン（９１）と平行に、第二規制ピン（９２）を両側方に突出し、該第二規制ピン（９２）の一側も前記ガイド溝（９４）に挿入し、該ガイド溝（９４）によって副変速レバー（１５）の回動を規制すべく構成し、該第二規制ピン（９２）の他方は、副変速装置（５０）を変速操作するガイドアーム（９５・９６）のガイド溝（９５ａ・９６ａ）に挿入され、該ガイド溝（９５ａ）は側面視逆Ｔ字状に構成され、該ガイド溝（９６ａ）は側面視Ｔ字状に構成され、該Ｔ字状の縦溝部分が重なるように構成し、第二規制ピン（９２）は副変速段を選択する規制部材としたことを特徴とする変速装置。
【発明の詳細な説明】
【０００１】
【発明の属する技術分野】
本発明は、変速装置において、確実にクラッチを切ってスムースに変速できるようにする技術に関し、特に、トラクタ等の作業車両における副変速装置を同期噛合式（シンクロメッシュ式）の変速装置として、ギヤ鳴り等が生じることなくスムースに変速ができるようにする技術に関する。
【０００２】
【従来の技術】
従来からクラッチペダル等の操作をすることなく、主変速装置や副変速装置をノークラッチで変速できるようにした技術が公知となっている。例えば、特開平８−１２８５２９号の技術である。この技術は、シンクロメッシュ式の主変速装置と副変速装置と、油圧式クラッチ装置とを備え、主変速装置と副変速は単一の変速レバーにより操作できるようにしており、該主変速装置にはアクチュエータが設けられて、該アクチュエータにより変速可能としている。そして、副変速装置はメインクラッチを切って変速レバーを回動して変速するようにしている。更に、変速レバーの把手部分にはスイッチが設けられて、該スイッチの操作によりシフトアップとシフトダウンを可能して、主変速を可能としている。このとき、主変速装置が切り替えられるときには、前後進切替装置の油圧クラッチが中立状態に切り替えられる。また、主変速装置及び副変速装置の変速位置やエンジンの回転数等を検出するセンサー等も配置している。
【０００３】
【発明が解決しようとする課題】
しかし、従来の歯車摺動式の副変速装置の場合、副変速装置を変速操作する場合には主クラッチを切り、走行を停止した状態でないと変速ができず、また、シンクロメッシュ式の場合であっても、クラッチペダル等を操作してクラッチを切らなければならないために、変速操作が面倒となりスムースな変速ができなかった。また、シンクロメッシュ式とした副変速装置の場合、無理に副変速レバーを回動して操作するとギヤ鳴りが発生し、焼き付等の問題が生じていた。
【０００４】
【課題を解決するための手段】
本発明は、以上のような課題を解決するために、次のような手段を用いる。
【０００５】
油圧式無段変速装置（２５）よりなる主変速装置と、有段の副変速装置（５０）とを備えた走行車両の変速装置において、該副変速装置（５０）を同期噛合式とするとともに、油圧式無段変速装置の油圧モータ（２８）から副変速装置（５０）に動力を伝達し、該油圧モータ（２８）の出力と副変速装置（５０）の入力の間にクラッチ（３９）を設け、前記副変速装置（５０）を操作する副変速レバー（１５）を設け、該副変速レバー（１５）のグリップに、前記クラッチ（３９）を断接する操作部材としてのクラッチスイッチボタン（７４）を設け、該クラッチスイッチボタン（７４）を、該副変速レバー（１５）基部に設けたデテント第一規制ピン（９１）と連動連結し、該第一規制ピン（９１）により変速位置を維持し、前記副変速レバー（１５）はパイプ状のシャフト（１５ａ）の上部にグリップ（１５ｂ）を配置し、該シャフト（１５ａ）内に摺動可能に摺動杆（１５ｃ）を挿入し、前記グリップ（１５ｂ）には側面に、前記クラッチ（３９）を断接するクラッチスイッチボタン（７４）を突設し、該クラッチスイッチボタン（７４）の他端は斜面に構成してグリップ（１５ｂ）内に挿入し、前記摺動杆（１５ｃ）の上端に形成した斜面に当接し、前記シャフト（１５ａ）の下部に、第一規制ピン（９１）を、シャフト１５ａに対して直角方向に突出し、該第一規制ピン（９１）は前記摺動杆（１５ｃ）の下端に固設し、シャフト（１５ａ）下部に開口した上下方向の長孔（１５ｄ）より側方に突出され、前記副変速レバー（１５）の回動基部を構成するガイド板（９３）に形成したガイド溝（９４）に挿入し、該第一規制ピン（９１）は、副変速レバー（１５）を変速位置に維持するデテント装置とし、前記シャフト（１５ａ）下部より、該第一規制ピン（９１）と平行に、第二規制ピン（９２）を両側方に突出し、該第二規制ピン（９２）の一側も前記ガイド溝（９４）に挿入し、該ガイド溝（９４）によって副変速レバー（１５）の回動を規制すべく構成し、該第二規制ピン（９２）の他方は、副変速装置（５０）を変速操作するガイドアーム（９５・９６）のガイド溝（９５ａ・９６ａ）に挿入され、該ガイド溝（９５ａ）は側面視逆Ｔ字状に構成され、該ガイド溝（９６ａ）は側面視Ｔ字状に構成され、該Ｔ字状の縦溝部分が重なるように構成し、第二規制ピン（９２）は副変速段を選択する規制部材としたものである。
【０００６】
【発明の実施の形態】
次に、発明の実施の形態を作業車両としてトラクタを実施例とした場合について説明する。
【０００７】
図１は本発明の変速装置を装備したトラクタの側面図、図２はミッションケースの側面断面図である。
【０００８】
図３は副変速装置の変速部の拡大断面図、図４はシフター軸部の平面図、図５は副変速レバーの側面図、図６は副変速レバーの後面断面図である。
【０００９】
図７はガイド板の側面図、図８は副変速レバーとリンク機構の分解斜視図である。
【００１０】
図１において、トラクタ１の全体構成から説明する。
本機の前後に前輪２及び後輪３を支承し、前部のボンネット４内部にはエンジン５を配置し、該ボンネット４の後部にはダッシュボード２３を設け、該ダッシュボード２３上にステアリングハンドル６を設けており、該ステアリングハンドル６の後方には座席シート７を配設している。また、座席シート７の側部には主変速レバー１４や副変速レバー１５や昇降レバー等が配設されている。
【００１１】
また、前記エンジン５はフロントフレーム８上に防振支持され、該エンジン５の後部に伝動ケース９を介してミッションケース１１が配設され、エンジン５からの動力を変速して後輪２に伝達して駆動し、さらにミッションケース１１より伝動装置を介して前輪２にも同時に駆動力を伝達することを可能としている。
【００１２】
また、エンジン５の駆動力は、ミッションケース１１後端から突出したＰＴＯ軸３５に伝達されて、該ＰＴＯ軸３５からユニバーサルジョイント等を介して機体後端に配置した作業機装着装置１３を介して装着した作業機を駆動するように構成している。また、ミッションケース１１上部には油圧ケース１０が載置され、該油圧ケース１０内にシリンダを収納してリフトアーム１９・１９を回動可能とし、前記作業機装着装置１３は、トップリンク２０とロアリンク２１・２１より構成して、前記リフトアーム１９の回動をリフトロッドを介してロアリンク２１・２１を回動して、作業機装着装置１３を昇降可能としている。
【００１３】
次に、伝動ケース９及びミッションケース１１内の構成を図２より説明する。前記伝動ケース９前部内に主変速装置となる油圧式無段変速装置２５が収納され、該油圧式無段変速装置２５はセンタープレート２６の前面に油圧ポンプ２７を取り付け、後部に油圧モータ２８を取り付けて、油圧ポンプ２７は可変容量型として、側面より可動斜板を傾倒するための変速軸（トラニオン軸）を突出し、該変速軸はリンク機構を介して主変速レバー１４と連結されている。
【００１４】
該油圧ポンプ２７の入力軸３０の前端はダンパー３１を介してエンジン５の出力軸と接続され、該入力軸３０はセンタープレート２６を貫通して、その後端には伝動軸３２が接続され、該伝動軸３２よりＰＴＯクラッチ３３、伝動軸３４、減速歯車を介してＰＴＯ軸３５に動力が伝えられるようにしている。
【００１５】
前記油圧モータ２８は固定容量型として、前記油圧ポンプ２７の変速軸の回動によって圧油の送油方向と送油量が変更されて、油圧モータ２８の出力軸３６の回転方向と回転数を変更可能としている。該出力軸３６の後端に伝動軸３７が連結され、該伝動軸３７の後部にクラッチ３９を介して副変速装置５０の入力軸となる副変速駆動軸４０と連結されている。前記クラッチ３９は油圧湿式クラッチにより構成して、後述する電磁バルブを切り換えて断接できるようにしている。該副変速駆動軸４０及び副変速軸４４が前後水平方向にミッションケース１１に平行に回転自在に支持され、該副変速駆動軸４０及び副変速軸４４上に副変速装置５０が構成されている。該副変速駆動軸４０上には１速歯車４１、２速歯車４２、３速歯車４３が一体的に固設または成形され、該１速歯車４１、２速歯車４２、３速歯車４３はそれぞれ副変速軸４４上に遊嵌した従動１速歯車４５、従動２速歯車４６、従動３速歯車４７と噛合されている。
【００１６】
前記副変速装置５０は、図３に示すように、シンクロメッシュ式の変速装置により構成されており、従動１速歯車４５、従動２速歯車４６の間の副変速軸４４上にシンクロナイザハブ５１が固設（本実施例ではスプライン嵌合）され、従動３速歯車４７の側部にシンクロナイザハブ５２が固設（本実施例ではスプライン嵌合）されている。該従動１速歯車４５、従動２速歯車４６、従動３速歯車４７にはそれぞれシンクロナイザハブ側の側部に小歯車４５ａ・４６ａ・４７ａが形成され、該小歯車４５ａ・４６ａ・４７ａとシンクロナイザハブ５１・５２の間にシンクロナイザリング５３・５４・５５が配置され、前記シンクロナイザハブ５１・５２上にそれぞれシンクロナイザスリーブ５６・５７がスプライン嵌合され、該シンクロナイザスリーブ５６・５７はそれぞれシフタフォーク５８・５９（図４）に嵌合されている。
【００１７】
このような構成において、１速に変速するときには、シンクロナイザスリーブ５６を図３における右側に摺動させると、シンクロナイザリング５３に係合し、該シンクロナイザリング５３が１速歯車４１に押し付けながら同期作用を行い、更にシンクロナイザスリーブ５６を摺動させて小歯車４５ａに噛み合わせて変速する。こうしてエンジン５からの動力は、副変速駆動軸４０より１速歯車４１→従動１速歯車４５→小歯車４５ａ→シンクロナイザスリーブ５６→シンクロナイザハブ５１→副変速軸４４と伝えられる。２速の場合には、シンクロナイザスリーブ５６を左側に摺動させて、前記同様に同期されて噛合され、副変速駆動軸４０より２速歯車４２→従動２速歯車４６→小歯車４６ａ→シンクロナイザスリーブ５６→シンクロナイザハブ５１→副変速軸４４と伝えられる。３速の場合も同様にシンクロナイザスリーブ５７を左側に摺動させて、副変速駆動軸４０より３速歯車４３→従動３速歯車４７→小歯車４７ａ→シンクロナイザスリーブ５７→シンクロナイザハブ５２→副変速軸４４と伝えられる。
【００１８】
そして、前記副変速軸４４の後端に、ピニオン４９が一体的に構成され、該ピニオン４９よりデフ装置及び減速機構を介して後輪３・３の車軸に動力を伝達する。また、前記副変速軸４４の前部上には歯車６０が固設され、図２に示すように、該歯車６０は副変速軸４４と平行に配置した前輪出力軸６１上に遊嵌した歯車６２と噛合され、該前輪出力軸６１の前端はミッションケース１１より前方に突出し、伝動軸を介して前輪２・２を駆動可能としている。そして、前記歯車６２は、前輪出力軸６１上にスプライン嵌合した爪付き摺動体６３の爪と噛合可能に構成され、４駆切替レバーの操作で爪付き摺動体６３を摺動させて、前方へ摺動させたときは後輪のみの２輪駆動となり、後方へ摺動させたときには歯車６０→歯車６２→爪付き摺動体６３→前輪出力軸６１と伝えて前輪を駆動し、４輪駆動となる。
【００１９】
また、前記シンクロナイザスリーブ５６・５７に嵌合したシフタフォーク５８・５９は図４に示すように、ミッションケース１１に横架したシフター軸６４・６５に固定され、該シフタフォーク５８・５９の基部はシフト軸６６・６７に固設したアーム６８・６９に係合されている。該シフト軸６６・６７は、シフター軸６４・６５に対して直角方向に配置されてミッションケース１１に回転自在に支持され、該シフト軸６６・６７の先端は、ミッションケース１１より外側に突出してそれぞれアーム７０・７１を固設している。
【００２０】
次に、副変速レバー１５の構成について図５、図６、図７より説明する。副変速レバー１５はパイプ状のシャフト１５ａの上部にグリップ１５ｂを配置し、該シャフト１５ａ内に摺動可能に摺動杆１５ｃを挿入し、前記グリップ１５ｂには側面に操作部材となるクラッチスイッチボタン７４が突出して設けられ、該クラッチスイッチボタン７４の他端は斜面に構成してグリップ１５ｂ内に挿入され、前記摺動杆１５ｃの上端に形成した斜面に当接させている。なお、この斜面の傾斜は後述する第一規制ピン９１が摺動してガイド溝９４（図７）に設けた凹部９４ａ・９４ｂ・９４ｃ・９４ｄを乗り越えられる程度のストロークが発生するように形成している。そして、グリップ１５ｂ内にクラッチスイッチ７５を配置してクラッチスイッチボタン７４が押されたことを検知できるようにしている。該クラッチスイッチ７５は近接スイッチや近接センサーやマイクロスイッチ等で構成することができ限定するものではなく、また、クラッチスイッチ７５とクラッチスイッチボタン７４を一体的に構成することもできる。該クラッチスイッチ７５はコントローラを介して電磁バルブのソレノイドと接続され、該電磁バルブは前記クラッチ３９への圧油の送油を切り換えて、クラッチ３９を断接できるようにし、クラッチスイッチ７５がＯＮのときクラッチ３９を切るようにしている。
【００２１】
前記シャフト１５ａの下部には回動規制部材となる第一回動規制ピン９１と第二回動規制ピン９２がシャフト１５ａに対して直角方向に突出され、第一回動規制ピン９１は前記摺動杆１５ｃの下端に固設されて、シャフト１５ａ下部に開口した上下方向の長孔１５ｄより側方に突出され、後述するガイド板９３に形成したガイド溝９４に挿入されている。なお、回動規制部材はピンにより構成しているが、突起やボルト等で構成することも可能であり限定するものではない。また、シャフト１５ａ下部より第一回動規制ピン９１と平行に第二回動規制ピン９２が両側方に突出され、一側が前記ガイド溝９４に挿入されている。つまり、回動規制部材となる第一回動規制ピン９１と第二回動規制ピン９２はガイド溝９４に挿入されて、該ガイド溝９４によって副変速レバー１５の回動が規制される。第二回動規制ピン９２の他方は、図８に示すように、ガイドアーム９５・９６のガイド溝９５ａ・９６ａに挿入されて、副変速段を選択できるようにしている。該ガイド溝９５ａは側面視逆Ｔ字状に構成され、ガイド溝９６ａは側面視Ｔ字状に構成され、縦溝部分が重なるように配置される。
【００２２】
そして、ガイドアーム９５・９６の下部は支点軸７７に枢支され、図５に示すように、該ガイドアーム９５・９６の下部よりそれぞれアーム９５ｂ・９６ｂが突設され、該アーム９５ｂには連結ロッド９７を介して前記アーム７０と連結され、アーム９６ｂは連結ピン９８を介して前記アーム７１と連結されている。また、前記副変速レバー１５のシャフト１５ａの下部はブラケット７６に支持されており、該ブラケット７６は正面視逆Ｕ字状に構成されて、該ブラケット７６の下部がミッションケース１１上部に支持した支点軸７７に枢支されている。該ブラケット７６の上下中途部に支持プレート７６ａを水平に固設して、その中央にシャフト１５ａの下部をブッシュを介して挿入して上下方向に摺動可能に支持している。
【００２３】
該ブラケット７６の一側面には長孔７６ｂを上下方向に開口して、前記第二回動規制ピン９２を挿入し、他側面にも長孔７６ｃを上下方向に開口して、該長孔７６ｃに前記第一回動規制ピン９１と第二回動規制ピン９２を挿入している。そして、シャフト１５ａ下部にステー７９を固定し、シャフト１５ａ上部を支持プレート８０で支持して、該支持プレート８０をブラケット７６上部に固定し、該ブラケット７６と前記ステー７９との間にスプリング８１を介装して、シャフト１５ａを上方へ摺動するように付勢している。
【００２４】
また、前記ガイド板９３は、副変速レバー１５の回動基部となる位置に配置され、ミッションケース１１の上部に固定されている。図７に示すように、該ガイド板９３下部に前記支点軸７７を枢支する支持孔９３ａが設けられている。該ガイド板９３の中央部にはガイド溝９４が開口され、該ガイド溝９４は上部溝と下部溝とを有し、それぞれ第一回動規制ピン９１と第二回動規制ピン９２が変速回動時に挿入可能としており、両溝は括れ部９４ｅにおいて連続的に通過できるように形成されている。該上部溝の上部内周は支持孔９３ａを中心とする円弧状に形成して、この円弧部の中央と両側に前記第一回動規制ピン９１が嵌合する凹部９４ａ・９４ｂ・９４ｃが形成され、下部溝の上部の一側に凹部９４ｄが形成されている。
【００２５】
このような構成において、副変速がニュートラルの位置のとき、第一回動規制ピン９１は凹部９４ａに嵌合して、副変速レバー１５は前後中央部に位置している。このとき、副変速装置５０のシンクロナイザスリーブ５６・５７も中立位置にあり噛合していない。そして、変速する場合に、まず、クラッチスイッチボタン７４を押すと、クラッチスイッチ７５がＯＮして油圧クラッチが「断」となり副変速駆動軸４０に動力が伝えられなくなる。
【００２６】
そして同時に、クラッチスイッチボタン７４の摺動により摺動杆１５ｃ上部の斜面が押されて、摺動杆１５ｃは下降し第一回動規制ピン９１も下降して凹部９４ａより外れる。この状態から副変速レバー１５を後方へ回動して１速（Ｆ１）に変速すると、第一回動規制ピン９１及び第二回動規制ピン９２は上部溝内を後方へ移動する。この副変速レバー１５の回動時において、第二回動規制ピン９２の他端はガイドアーム９６のガイド溝９６ａの前後方向の長孔内を移動してガイドアーム９６を回動することはなく、第二回動規制ピン９２の他端がガイドアーム９５の縦溝に位置して回動してアーム９５ｂが回動する。この回動により連結ロッド９７を介してアーム７０を回動し、更に、シフト軸６６、アーム６８、シフター軸６４を介してシフタフォーク５８を摺動して変速し、前述の如くシンクロナイザスリーブ５６を摺動して１速の変速ができ、従動１速歯車４５より副変速軸４４に動力を伝えられるようにしている。
【００２７】
この時、主クラッチペダルを踏むことなく、クラッチスイッチボタン７４を押すだけで容易に変速ができるのである。そして、クラッチスイッチボタン７４を放すことで第一回動規制ピン９１が凹部９４ｂに嵌合して、その変速位置を維持することができ、クラッチスイッチボタン７４を押さない限り変速することができないのである。
【００２８】
また、２速（Ｆ２）に変速する場合には、前記同様に、クラッチスイッチボタン７４を押して副変速レバー１５を前方に回動することによって、前記同様にガイドアーム９６は回動されず、ガイドアーム９５を回動して、アーム９５ｂ、連結ロッド９７、アーム７０、シフト軸６６、アーム６８、シフター軸６４、シフタフォーク５８を介してシンクロナイザスリーブ５６を摺動して２速の変速ができ、従動２速歯車４６より副変速軸４４に動力を伝える。
【００２９】
また、３速（Ｆ３）に変速する場合には、クラッチスイッチボタン７４を押して、副変速レバー１５を下方に押し下げてから前方へ回動する。このとき、十分（第二規制ピン９２が９２’の位置まで）副変速レバー１５を押し下げていないと、第一回動規制ピン９１または第二回動規制ピン９２が括れ部９４ｅに当たり、前方へ回動できない構成としている。つまり、第二回動規制ピン９２は１速・２速と３速の変速段の変速位置を規制するように構成している。
【００３０】
そして、前記副変速レバー１５を押し下げた状態での前方への回動により、第二回動規制ピン９２はガイドアーム９５の前後方向のガイド溝９５ａ内を回動してガイドアーム９５は回動せず、ガイドアーム９６の縦溝に当接して回動する。この回動によって、アーム９６ｂが回動されてアーム７１を回動し、更に、シフト軸６７、アーム６９、シフター軸６５、シフタフォーク５９を介して、シンクロナイザスリーブ５７を摺動して３速の変速ができて、従動３速歯車４７より副変速軸４４に動力を伝える。
【００３１】
このように、クラッチスイッチボタン７４を押すことによって、クラッチ３９が切れて（断となり）クラッチペダルの操作することなくギヤ鳴りもなく副変速操作をすることが可能となり、副変速装置５０はシンクロメッシュ式としているため、走行を停止した状態でなくても変速することができるのである。
【００３２】
また、前記ガイド板９３に設ける凹部９４ａ・９４ｂ・９４ｃ・９４ｄの深さを深くすると、前述のようにクラッチスイッチボタン７４を押さないと変速できない構成となっている。しかし、該凹部９４ａ・９４ｂ・９４ｃ・９４ｄを半円状に浅く形成して円弧端を丸くすることによって、係合状態とすることができ、デテントとして作用させることができ、クラッチスイッチボタン７４を操作することなく変速するようにすることもできる。究極的にはクラッチスイッチボタン７４をなくすことができる。
【００３３】
この場合、摺動杆１５ｃまたは第一回動規制ピン９１の摺動をクラッチスイッチ７５が検知するように副変速レバー１５またはブラケット７６近傍にクラッチスイッチ７５を配設する。こうすることによって、変速するときに副変速レバー１５を回動すると、第一回動規制ピン９１は凹部９４ａ・９４ｂ・９４ｃ・９４ｄのいずれかを乗り越えようとして第一回動規制ピン９１が下がり摺動杆１５ｃが摺動して、クラッチスイッチ７５がその移動を検知してＯＮとなり、このクラッチスイッチ７５がＯＮすることによって自動的にクラッチ３９を切ることができる。つまり、クラッチスイッチ７５は副変速レバー１５の回動、言い換えれば、副変速操作を検知することができ、この変速操作を検知してクラッチ３９を切ることができる。こうして、クラッチペダルを操作したりクラッチスイッチボタンを操作したりすることなく、変速時には副変速レバーを回動するだけでクラッチ操作することなく変速できるようになるのである。なお、主変速はＨＳＴにより構成しているため、主変速レバー１４の回動によりクラッチ操作することなく無段階で変速操作することができる。
【００３４】
【発明の効果】
本発明は、以上のように構成したことにより、次のような効果が得られる。
油圧式無段変速装置（２５）よりなる主変速装置と、有段の副変速装置（５０）とを備えた走行車両の変速装置において、該副変速装置（５０）を同期噛合式とするとともに、油圧式無段変速装置の油圧モータ（２８）から副変速装置（５０）に動力を伝達し、該油圧モータ（２８）の出力と副変速装置（５０）の入力の間にクラッチ（３９）を設け、前記副変速装置（５０）を操作する副変速レバー（１５）を設け、該副変速レバー（１５）のグリップに、前記クラッチ（３９）を断接する操作部材としてのクラッチスイッチボタン（７４）を設け、該クラッチスイッチボタン（７４）を、該副変速レバー（１５）基部に設けたデテント第一規制ピン（９１）と連動連結し、該第一規制ピン（９１）により変速位置を維持するので、油圧式変速装置により主変速操作をクラッチ操作なしで無段変速操作できるとともに、更に、走行を停止することなく、走行中であってもクラッチを切ることによってスムースに副変速操作が可能となる。また、同期噛合式としているため副変速操作時には副変速ギヤにかかるトルクを減らすことができる。
【００３５】
また、前記クラッチを断接する操作部材を副変速レバーに設けたので、副変速操作時に握っているその状態で操作部材の操作でクラッチを切ることができて、持ち替えることなく簡単な操作でクラッチを切ることができ、副変速操作を容易にすることができる。
【００３６】
また、前記副変速レバー（１５）はパイプ状のシャフト（１５ａ）の上部にグリップ（１５ｂ）を配置し、該シャフト（１５ａ）内に摺動可能に摺動杆（１５ｃ）を挿入し、前記グリップ（１５ｂ）には側面に、前記クラッチ（３９）を断接するクラッチスイッチボタン（７４）を突設し、該クラッチスイッチボタン（７４）の他端は斜面に構成してグリップ（１５ｂ）内に挿入し、前記摺動杆（１５ｃ）の上端に形成した斜面に当接し、前記シャフト（１５ａ）の下部に、第一規制ピン（９１）を、シャフト１５ａに対して直角方向に突出し、該第一規制ピン（９１）は前記摺動杆（１５ｃ）の下端に固設し、シャフト（１５ａ）下部に開口した上下方向の長孔（１５ｄ）より側方に突出され、前記副変速レバー（１５）の回動基部を構成するガイド板（９３）に形成したガイド溝（９４）に挿入し、該第一規制ピン（９１）は、副変速レバー（１５）を変速位置に維持するデテント装置としたので、操作部材は副変速レバーのグリップにおいて邪魔にならず操作がし易く容易に構成することができ、ボタン操作であるため簡単に操作が行なえる。
また、ボタンと回動規制部材を連動連結したので、回動規制部材の解除が容易にできるようになり、ボタン操作をしないかぎり変速操作できないようにすることができ意図しない操作を防止することができる。
【００３７】
また、前記シャフト（１５ａ）下部より、該第一規制ピン（９１）と平行に、第二規制ピン（９２）を両側方に突出し、該第二規制ピン（９２）の一側も前記ガイド溝（９４）に挿入し、該ガイド溝（９４）によって副変速レバー（１５）の回動を規制すべく構成したるガイドアーム（９５・９６）のガイド溝（９５ａ・９６ａ）に挿入され、該ガイド溝（９５ａ）は側面視逆Ｔ字状に構成され、該ガイド溝（９６ａ）は側面視Ｔ字状に構成され、該Ｔ字状の縦溝部分が重なるように構成し、第二規制ピン（９２）は副変速段を選択する規制部材としたので、変速操作における変速位置の間違いがなくなり、ギヤ抜けもなく、確実に変速操作ができる。
【図面の簡単な説明】
【図１】  本発明の変速装置を装備したトラクタの側面図である。
【図２】  ミッションケースの側面断面図である。
【図３】  副変速装置の変速部の拡大断面図である。
【図４】  シフター軸部の平面図である。
【図５】  副変速レバーの側面図である。
【図６】  副変速レバーの後面断面図である。
【図７】  ガイド板の側面図である。
【図８】  副変速レバーとリンク機構の分解斜視図である。
【符号の説明】
１５  副変速レバー
２５  油圧式無段変速装置
２７  油圧ポンプ
２８  油圧モータ
３６  出力軸
３９  クラッチ
４０  変速駆動軸
５０  副変速装置
５６・５７  シンクロナイザスリーブ
７４  クラッチスイッチボタン
７５  クラッチスイッチ
９１  第一規制ピン
９２  第二規制ピン
９３  ガイド板
９４ガイド溝
【図１】
0004174206.tif 000002
【図２】
0004174206.tif 000003
【図３】
0004174206.tif 000004
【図４】
0004174206.tif 000005
【図５】
0004174206.tif 000006
【図６】
0004174206.tif 000007
【図７】
0004174206.tif 000008
【図８】
0004174206.tif 000009